(57)【要約】  試料ガスを分析する複数の第１の測定機器（２４，２６，２８）が配置された第１のキャビネットボディ（１２）と、この第１のキャビネットボディ（１２）に回動可能に取り付けられ当該第１のキャビネットボディ（１２）の開放前面（４２）を開閉するドア（３８）と、このドア（３８）に配置された操作ユニット（３４）と、を備えた、排気ガス測定設備用の制御キャビネット（１０）は公知である。測定機器の操作性およびアクセス性を容易にするために、本発明によれば、第１のキャビネットボディ（１２）は、複数の第２の測定機器（５８，６０，６２）が配置されかつ第２の開放前面（５０）を有する第２のキャビネットボディ（４４）に対して案内されて相対移動可能であり、第２の開放前面（５０）は、第１のキャビネットボディ（１２）の第２のキャビネットボディ（４４）に対する案内された相対運動によって閉鎖可能であり開放可能であることが提案される。
2019504991.tif 000002
【特許請求の範囲】
【請求項１】
試料ガスを分析する複数の第１の測定機器（２４，２６，２８）が配置された第１のキャビネットボディ（１２）と、
前記第１のキャビネットボディ（１２）に回動可能に取り付けられ前記第１のキャビネットボディ（１２）の開放前面（４２）を開閉するドア（３８）と、
前記ドア（３８）に配置された操作ユニット（３４）と、
を備えた、排気ガス測定設備用の制御キャビネット（１０）において、
前記第１のキャビネットボディ（１２）は、複数の第２の測定機器（５８，６０，６２）が配置されかつ第２の開放前面（５０）を有する第２のキャビネットボディ（４４）に対して、案内されて相対運動可能であり、前記第２の開放前面（５０）は、前記第１のキャビネットボディ（１２）の前記第２のキャビネットボディ（４４）に対する前記案内された相対運動によって閉鎖可能であり開放可能であることを特徴とする、排気ガス測定設備用の制御キャビネット（１０）。
【請求項２】
前記第２のキャビネットボディ（４４）は、ジョイント（４６）を介して前記第１のキャビネットボディ（１２）に取り付けられており、前記第１のキャビネットボディ（１２）は、前記第２のキャビネットボディ（４４）に対して、前記ジョイント（４６）を中心として回動可能に配置されている、請求項１記載の排気ガス測定設備用の制御キャビネット。
【請求項３】
前記第２のキャビネットボディ（４４）内の前記測定機器（５８，６０，６２）は、前記第１のキャビネットボディ（１２）の前記ドア（３８）における前記操作ユニット（３４）と電気的に接続されている、請求項１または２記載の排気ガス測定設備用の制御キャビネット。
【請求項４】
前記第１のキャビネットボディ（１２）内の前記測定機器（２４，２６，２８）は、第１の排気ガス測定設備に割り当てられており、前記第２のキャビネットボディ（４４）内の前記測定機器（５８，６０，６２）は、第２の排気ガス測定設備に割り当てられている、請求項１から３までのいずれか１項記載の排気ガス測定設備用の制御キャビネット。
【請求項５】
前記第１のキャビネットボディ（１２）の底部（１８）に、複数のローラ（５２）が配置されている、請求項１から４までのいずれか１項記載の排気ガス測定設備用の制御キャビネット。
【請求項６】
前記第１のキャビネットボディ（１２）の背壁部（２２）は、前記第２のキャビネットボディ（４４）の前記開放前面（５０）に対して当接している、請求項１から５までのいずれか１項記載の排気ガス測定設備用の制御キャビネット。
【請求項７】
前記第１のキャビネットボディ（１２）と前記第２のキャビネットボディ（４４）とは同一であり、前記第１のキャビネットボディ（１２）内に配置された前記測定機器（２４，２６，２８）と前記第２のキャビネットボディ（４４）内に配置された前記測定機器（５８，６０，６２）とは同一である、請求項１から６までのいずれか１項記載の排気ガス測定設備用の制御キャビネット。
【請求項８】
前記第１のキャビネットボディ（１２）は、第１の側壁部（１４）に配置された、ジョイント（４６）として用いられる複数のヒンジを介して前記第２のキャビネットボディ（４４）の第１の側壁部（４８）に回動可能に取り付けられており、前記２つのキャビネットボディ（１２，４４）のそれぞれ反対側の第２の側壁部（１６，５６）にそれぞれ閉鎖手段（５４）が配置されており、前記閉鎖手段（５４）を介して、前記第１のキャビネットボディ（１２）の前記第２の側壁部（１６）は、前記第２のキャビネットボディ（４４）の前記第２の側壁部（５６）と接続可能である、請求項１から７までのいずれか１項記載の排気ガス測定設備用の制御キャビネット。
【請求項９】
前記操作ユニット（３４）は、前記ドア（３８）の開口部（３６）内に配置されたモニタ（３５）を有している、請求項１から８までのいずれか１項記載の排気ガス測定設備用の制御キャビネット。
【発明の詳細な説明】
【技術分野】
【０００１】
本発明は、試料ガスを分析する複数の第１の測定機器が配置された第１のキャビネットボディと、この第１のキャビネットボディに回動可能に取り付けられ当該第１のキャビネットボディの開放前面を開閉するドアと、このドアに配置された操作ユニットと、を備えた、排気ガス測定設備用の制御キャビネットに関している。
【０００２】
この種の制御キャビネットは、例えば自動車のシャシダイナモに使用される。これらの制御キャビネットは、一方では、例えばＣＶＳ（constant volume sample）設備として設計され得る排気ガス測定設備内に存在する制御要素である駆動制御部や電子装置を含み、他方では、排気ガス中の汚染物質量を特定する、排気ガス分析に要する測定機器、例えば、炭化水素を特定するもしくはガスクロマトグラフィを介してメタン量を特定する水素炎イオン化検出器分析機器、排気ガス中の窒素酸化物量を特定する化学発光検出器分析機器、排気ガス中の一酸化炭素、二酸化炭素または炭化水素化合物のような様々な活性成分を特定する赤外線検出器分析機器等を含む。これに応じて制御キャビネットは、対応する連結部を介してこの制御キャビネットに接続される複数の線路を介して、排出ガス測定機器のサンプリングプローブに接続されている。
【０００３】
各制御キャビネットには、相応して測定機器と測定線路用の制御部とが支持されており、その前面に配置されたドアには開口部を有している。開口部には操作ユニットを設けることができ、操作ユニットを介して様々な測定機器を操作することができ、分析データが直接提供される。
【０００４】
しかしながら大半の排気ガス分析用の装置には、複数のシャシダイナモ、エンジンテストベンチもしくは排気ガス測定ラインが含まれ、それらにおいては時間の節約のために、それぞれ異なる複数の車両もしくはエンジンにおける測定が同時に実施される。それに応じて、操作者も、制御キャビネットの間を移る必要がある、または個別の各設備のために操作者を割り当てる必要がある。さらに付加的に、排気ガス基準の引き上げによって、常に新たな測定が必要となり、そのため、対応する機器を収容する付加的な空間が必要となり、それによって、測定用の既存の作業場にスペースに関する問題が生じる。
【０００５】
したがって、本発明の課題は、１つの操作ユニットを介して少なくとも２つの排気ガス測定ラインを同時に操作することができる、あるいはキャビネット内に付加的な測定機器が位置付けできるにもかかわらず、測定機器へのアクセス性は依然として維持される、排気ガス測定設備用の制御キャビネットを提供することにある。使用される構造空間は、使用される測定機器の数の多さにもかかわらず、できるだけ少ない占有空間にしたい。それにもかかわらず、全ての器具および接続部を良好にアクセス可能に。また、この種の制御キャビネットのコストも、公知の解決手段に比べて削減されるべきである。
【０００６】
この課題は、独立請求項１の特徴部に記載の構成を有する排気ガス測定設備用の制御キャビネットによって解決される。
【０００７】
第１のキャビネットボディは、複数の第２の測定機器が配置されかつ第２の開放前面を有する第２のキャビネットボディに対して案内された状態において相対運動可能であり、第２の開放前面は、第１のキャビネットボディの、第２のキャビネットボディに対する案内された状態の相対運動によって閉鎖可能であり開放可能であることによって、２つのキャビネットの良好なアクセス性が保証される、小型で省スペースなユニットが得られる。この小型のユニットによって、複数の測定ラインも１つの操作ユニットを介して駆動制御することが可能になる。前面における１つのキャビネット壁部を省略することができるため、コストが削減される。
【０００８】
好ましくは、第２のキャビネットボディは、ジョイントを介して第１のキャビネットボディに取り付けられており、第１のキャビネットボディは、第２のキャビネットボディに対して、ジョイントを中心として回動可能に配置されている。それに応じて、制御キャビネットは、相互に開放旋回することができ、両キャビネットの内部に配置された全ての部品への良好なアクセス性が得られる。
【０００９】
特に好ましい態様によれば、第２のキャビネットボディ内の測定機器は、第１のキャビネットボディのドアにおける操作ユニットと電気的に接続されている。このことは、コストを大幅に削減する。なぜなら第２の制御キャビネットの操作ユニットを省略することができるからである。さらに付加的に、２つの排気ガス測定ラインの同時操作が、単一の操作ユニットを介して、引き続き良好なアクセス性のもとで可能にある。
【００１０】
特に有利には、第１のキャビネットボディ内の測定機器は、第１の排気ガス測定設備に割り当てられており、第２のキャビネットボディ内の測定機器は、第２の排気ガス測定設備に割り当てられていることが好ましい。したがって、２つの同一の設備を同時に動作させることができ、１つの二重制御キャビネットを介して制御することができる。エラーの際には、対応する測定機器への割当てが適正な取り付けと同様に容易になる。
【００１１】
本発明の好ましい構成では、第１のキャビネットボディの底部に複数のローラが配置されている。これらのローラにより、この第１のキャビネットボディは、第２のキャビネットボディに対して、大きな労力なしで開放旋回することができるようになり、それによって第２のキャビネットボディへのアクセス性が改善される。
【００１２】
特に好ましくは、第１のキャビネットボディの背壁部が、第２のキャビネットボディの開放前面に対して当接している。この種の配置構成では、２つの同一のキャビネットボディを使用することができ、これによって、使用すべき同一の部品数の増加に基づき、新たにコストを削減することができる。
【００１３】
それゆえ好ましい態様によれば、第１のキャビネットボディと第２のキャビネットボディとは同一であり、第１のキャビネットボディ内に配置された測定機器と第２のキャビネットボディ内に配置された測定機器とは同一である。そのため、使用される同一の部品の数が最大限に増加され、このことは新たにコストを削減し、取り付けを容易にする。
【００１４】
第１のキャビネットボディが、第１の側壁部に配置された複数のヒンジを介して第２のキャビネットボディの第１の側壁部に回動可能に取り付けられており、２つのキャビネットボディのそれぞれ第２の側壁部にそれぞれ閉鎖手段が配置されており、閉鎖手段を介して、第１のキャビネットボディの第２の側壁部が、第２のキャビネットボディの第２の側壁部と接続可能である場合、アクセス性の向上のために、キャビネットの特に１８０°の改善された開放のための特に簡単で案内された開放旋回がもたらされる。したがって、第２のキャビネットボディの案内された状態における完全な開放が可能になる。
【００１５】
好ましくは、操作ユニットは、ドアの開口部に配置されたモニタ、特にタッチスクリーンを有している。このことは、案内部材を介する簡単な操作を可能にし、生成された測定データの視認性を高める。
【００１６】
これにより、複数の排気ガス測定ラインを並行してかつ同時に運転することができ、それらの制御は、専ら１人の操作者により、１つの制御キャビネットおよび１つの操作ユニットを介して実施することができる、排気ガス測定設備用の制御キャビネットが得られる。使用される構造空間ならびに組立ておよび組付けのためのコストは、公知の態様に比べて大幅に削減される。それにもかかわらず、使用される全ての測定機器および接続部のアクセス性は、非常に良好に維持される。
【００１７】
排気ガス測定設備用の本発明による制御キャビネットの実施の形態は、図面に示され、以下で説明される。
【図面の簡単な説明】
【００１８】
【図１】第１のキャビネットボディの閉鎖状態における排気ガス測定設備用の本発明に係る制御キャビネットの正面図。
【図２】第１のキャビネットボディの開放状態における図１に基づく本発明に係る制御キャビネットの斜視図。
【図３】閉鎖状態における本発明に係る制御キャビネットの側面図。
【図４】第２のキャビネットボディの開放状態における本発明に係る制御キャビネットの側斜視図。
【００１９】
排気ガス測定設備用の本発明に係る制御キャビネット１０は、第１の側壁部１４と、第１の側壁部１４に向かい合う側壁部１６と、底部１８と、頂部２０と、背壁部２２とを有する第１のキャビネットボディ１２から成り、このキャビネットボディ１２の内部には、炭化水素を特定する水素炎イオン化検出器分析機器２４と、排気ガス中の窒素酸化物量を特定する化学発光検出器分析機器２６と、一酸化炭素、二酸化炭素または炭化水素化合物のような様々な活性成分を特定する赤外線検出器分析機器２８とが取り付けられている。これらの測定機器２４，２６，２８は、管路を介して排気ガスサンプリングバッグと接続されている、または図示されていない排気ガス測定設備と直接接続されている。
【００２０】
排気ガスサンプルバッグを充填するために、または排気ガス測定設備への接続を形成するために、キャビネットボディ１２の頂部２０または側壁部１４，１６に、図示されていない開口部が形成されている。開口部内には、外部から管路を接続するための対応する連結部が形成されている、または開口部を介して管路が直接、キャビネットボディ１２の内部に案内されている。同様に、測定機器２４，２６，２８の電源への電気的接続も行われている。キャビネットボディ１２の内部には、この接続を形成し、操作ユニット３４への電気的接続を形成するための電気線路も適切に存在している。この操作ユニット３４は、タッチスクリーンモニタ３５として構成され、ドア３８の開口部３６に取り付けられている。このドア３８は、ヒンジ４０を介してキャビネットボディ１２の第１の側壁部１４に回動自在に取り付けられており、第１のキャビネットボディ１２の開放前面４２は開閉可能である。この操作ユニット３４を介して、排気ガス測定設備も個々の測定機器２４，２６，２８も操作することができ、測定機器２４，２６，２８の測定結果を読み出すことができる。
【００２１】
構造的に同一の第２のキャビネットボディ４４は、本発明によれば、閉鎖された状態において第１のキャビネットボディ１２の後方に配置され、第１のキャビネットボディ１２の第１の側壁部１４と第２のキャビネットボディ４４の第１の側壁部４８とに取り付けられたヒンジの形式のジョイント４６を介して第１のキャビネットボディ１２に接続されている。これに応じて、第２のキャビネットボディ４４はドアを有しておらず、ヒンジ４６を中心とする第１のキャビネットボディ１２の回動により、第２のキャビネットボディ４４の前面５０は開放される。第２のキャビネットボディ４４のこの回動性を保証し、他方では固定の位置決めを保証するために、第１のキャビネットボディ１２の底部１８には複数のローラ５２が取り付けられている。第２のキャビネットボディ４４の閉鎖は、第１のキャビネットボディ１２の第１の側壁部１４に向かい合う第２の側壁部１６と、第２のキャビネットボディ４４の第２の側壁部５６とに配置された対応する閉鎖手段を介して行われる。これらの閉鎖手段を開いた後は、第１のキャビネットボディ１２を、第２のキャビネットボディ４４に対して相応に１８０°回動させることができ、第２のキャビネットボディ４４内の第２の測定機器５８，６０，６２も同様に完全にアクセス可能となる。
【００２２】
この第２のキャビネットボディ４４は、第１のキャビネットボディ１２と構造的に同じのように、つまり２つの側壁部４８，５６、頂部６４、底部６６、および背壁部６８を備えて構成されているだけでなく、同じように、並列に接続された第２の排気ガス測定設備に流体連通されている水素炎イオン化検出器分析機器５８、化学発光検出器分析機器６０、および赤外線検出器分析機器６２、およびガス接続管路も備えている。電気線路を介して測定機器５８，６０，６２または第２の排気ガス測定設備が操作者によって制御されるが、電気線路は、第１のキャビネットボディ１２におけるドア３８とそこに配置された操作ユニット３４とに対して直接配線されている。
【００２３】
本発明に係る制御キャビネットは、２つの排気ガス測定設備を、単独の操作者によって同時に制御することに適している。この目的のために必要とされる構造空間は、２つの排気ガス測定設備に対して単に１つの操作ユニットを使用すればよいので、最小限に抑えられる。それにもかかわらず、制御キャビネット内の全ての測定機器の完全なアクセス性は維持され続ける。また、２つの測定設備の全ての機器も、空間的に相互に分離されており、もちろん、個別に動作させることも可能である。２つのキャビネットボディの開放は、簡単な旋回開放によって可能である。
【００２４】
独立請求項に係る発明の保護範囲は、上記実施の形態に限定されるものではないことは明らかなはずである。特に、これらのキャビネットは、ＦＴＩＲ分析機器または量子カスケードレーザ、ＣＶＳアセンブリ、分析バッグまたは粒子収集システムなどのような他のまたは付加的な測定機器を装備することも可能である。また、構成要素相互間および各排気ガス測定設備に対する配置構成ならびに接続も変更することが可能である。同様に、１つの排気ガス測定設備用の様々な測定機器を２つのキャビネットボディ内に収容することができ、さらに本発明に係る制御キャビネットにより、それらのアクセス性を最小の所要スペースのもとで維持することができる。
【図１】
2019504991.tif 000003
【図２】
2019504991.tif 000004
【図３】
2019504991.tif 000005
【図４】
2019504991.tif 000006
【国際調査報告】
2019504991.tif 000007
2019504991.tif 000008
2019504991.tif 000009
2019504991.tif 000010
2019504991.tif 000011
2019504991.tif 000012